(57)【特許請求の範囲】
【請求項１】
異なる方向に開閉する複数のドアを有する画像形成装置において、リンク機構を有するレバーと、該レバーに押されて作動するアクチュエータと、該アクチュエータに押されて作動するスイッチと、上記レバーを押す第１の押圧部材を有する第１のドアと、上記レバーの上記リンク機構を押す第２の押圧部材を有する第２のドアとを有し、上記レバーが、上記第１の押圧部材の作動方向に沿ってそれぞれ移動可能な一対のレバー体からなり、上記リンク機構をなす回転部材をこれら一対のレバー体の間に架け渡すようにかつ回転自在に軸支し、該回転部材の一部を上記第２の押圧部材で押圧して上記一対のレバー体を離間させ得るようにしてなることを特徴とする画像形成装置。
【請求項２】
上記一対のレバー体のうち上記アクチュエータを押す側のレバー体を、付勢部材により上記スイッチから離れる方向へ移動付勢してなることを特徴とする請求項１の画像形成装置。
【請求項３】
異なる方向に開閉する複数のドアを有する画像形成装置において、
リンク機構を有するレバー装置と、該レバー装置に押されて作動するアクチュエータと、
該アクチュエータに押されて作動するスイッチを含むインタロックスイッチ装置と、
上記レバー装置全体を押す第１の押圧部材を有する第１のドアと、
上記レバー装置の上記リンク機構を押す第２の押圧部材を有する第２のドアとを有し、
上記レバー装置が、上記第１の押圧部材の作動方向に沿ってそれぞれ移動可能な一対のレバー体を備え、これら一対のレバー体の間に上記リンク機構を配してなり、
上記一対のレバー体のうち上記アクチュエータを押す側のレバー体を、付勢部材により上記スイッチから離れる方向へ移動付勢してなり、
上記第１のドアを閉めると上記第１の押圧部材が上記レバー装置全体を上記インタロックスイッチ装置側へ押して、上記レバー体の一方が上記アクチュエータを押して上記スイッチをオンとし、
上記第２のドアを閉めると上記第２の押圧部材が上記一対のレバー体を離間させ、
上記第１のドアが閉、上記第２のドアが開の時には、上記一対のレバー体の他方が上記第１の押圧部材で押され、上記付勢部材が上記レバー体の一方を押し戻して上記スイッチがオフとなり、
上記第１のドアが開、上記第２のドアが閉の時には、上記一対のレバー体の他方が押されずに上記一対のレバー体が離れたまま、上記レバー装置全体が上記付勢部材で上記インタロックスイッチ装置から離れて上記スイッチがオフとなる
ことを特徴とする画像形成装置。
【発明の詳細な説明】
【０００１】
【発明の属する技術分野】
本発明は異なる方向に開閉する複数のドアを有する画像形成装置に関する。
【０００２】
【従来の技術及び発明が解決しようとする課題】
この種の画像形成装置としては、例えば実開昭５５−１６４６３８号公報に開示されたドアースイッチ装置のように、異なる方向へ開閉するドアーの各々に設けた押圧部材と、これらの押圧部材に押されて移動する可動作動子と、これらの可動作動子に押されて作動する画像形成装置本体に設けたスイッチとを有する構成としたものがある。
【０００３】
この実開昭５５−１６４６３８号公報の装置は、ドアの開閉に順番があり、可動作動子に回転支点があるため、スイッチがドアの押圧部材より離れた所にある場合、可動作動子の移動量が拡大され、スイッチの動作精度が落ちるという不具合がある。
【０００４】
そこで本発明は、複数のドアの開閉に順番を発生させることなく、スイッチの動作精度も落とさずにインタロックスイッチ機能を実現させ得る画像形成装置を提供することを目的とする。
【０００５】
【課題を解決するための手段】
本発明の画像形成装置のうち請求項１に係るものは、上記目的を達成するために、異なる方向に開閉する複数のドアを有する画像形成装置において、リンク機構を有するレバーと、該レバーに押されて作動するアクチュエータと、該アクチュエータに押されて作動するスイッチと、上記レバーを押す第１の押圧部材を有する第１のドアと、上記レバーの上記リンク機構を押す第２の押圧部材を有する第２のドアとを有し、上記レバーが、上記第１の押圧部材の作動方向に沿ってそれぞれ移動可能な一対のレバー体からなり、上記リンク機構をなす回転部材をこれら一対のレバー体の間に架け渡すようにかつ回転自在に軸支し、該回転部材の一部を上記第２の押圧部材で押圧して上記一対のレバー体を離間させ得るようにしてなることを特徴とする。
【０００６】
同請求項２に係るものは、上記一対のレバー体のうち上記アクチュエータを押す側のレバー体を、付勢部材により上記スイッチから離れる方向へ移動付勢してなることを特徴とする。
【０００７】
同請求項３に係るものは、異なる方向に開閉する複数のドアを有する画像形成装置において、
リンク機構を有するレバー装置と、該レバー装置に押されて作動するアクチュエータと、
該アクチュエータに押されて作動するスイッチを含むインタロックスイッチ装置と、
上記レバー装置全体を押す第１の押圧部材を有する第１のドアと、
上記レバー装置の上記リンク機構を押す第２の押圧部材を有する第２のドアとを有し、
上記レバー装置が、上記第１の押圧部材の作動方向に沿ってそれぞれ移動可能な一対のレバー体を備え、これら一対のレバー体の間に上記リンク機構を配してなり、
上記一対のレバー体のうち上記アクチュエータを押す側のレバー体を、付勢部材により上記スイッチから離れる方向へ移動付勢してなり、
上記第１のドアを閉めると上記第１の押圧部材が上記レバー装置全体を上記インタロックスイッチ装置側へ押して、上記レバー体の一方が上記アクチュエータを押して上記スイッチをオンとし、
上記第２のドアを閉めると上記第２の押圧部材が上記一対のレバー体を離間させ、
上記第１のドアが閉、上記第２のドアが開の時には、上記一対のレバー体の他方が上記第１の押圧部材で押され、上記付勢部材が上記レバー体の一方を押し戻して上記スイッチがオフとなり、
上記第１のドアが開、上記第２のドアが閉の時には、上記一対のレバー体の他方が押されずに上記一対のレバー体が離れたまま、上記レバー装置全体が上記付勢部材で上記インタロックスイッチ装置から離れて上記スイッチがオフとなる
ことを特徴とする。
【０００８】
【発明の実施の形態】
以下本発明の実施の形態を図面を参照して説明する。
図１は胴内排紙部を備えた本発明の一実施形態に係る画像形成装置の断面図、図２は図１中の２−２線方向から見た断面図である。図中１０１は感光体ドラム、１０２は転写バイアスローラ、１０３は定着器、１０４は排紙搬送経路、１０６は転写ユニットを含む右ドア（以下単に右ドアという）で、右ドア１０６の装置内側には押圧部材１０７が設けてある。右ドア１０６は装置内側に転写バイアスローラ１０２を有し、転写紙詰まりによるジャムの回復処理をできるように、図中の矢印Ａ方向に回動開閉可能としてある。
【０００９】
また図中１１０は、感光体ドラム１０１等をユニット化したプロセスカートリッジユニット（以下ＰＣＵという）、図中１１１は帯電ローラ、１１２は露光手段、１１３は現像ローラ、１１４はレジストローラ、１１５はクリーニングブレード、１１６は胴内排紙部、１１７は排紙トレイである。この画像形成装置の本体構造部は、図２に示すように、前ドア１２０、前側板１２２、後側板１２３、定着器１０３を保持する前ブラケット１２４、後ブラケット１２５、本体ベース１２６等により構成されている。前ドア１２０の装置内側には押圧部材１２１が設けてある。図中１２７、１２７は用紙カセット、１３０は画像形成装置上に搭載したスキャナである。なお図２の左方側が正面、右肩が背面である。
【００１０】
図１、図２の画像形成装置においては、帯電ローラ１１１によって一様に帯電させた感光体ドラム１０１に、露光手段１１２から照射する光像により形成した静電潜像を、現像ローラ１１３により供給されたトナーによって現像することによってトナー像を形成する。転写バイアスローラ１０２は、トナー像を担持する感光体ドラム１０１上と所定の幅で接触する部分の転写ニップを形成し、そこに転写紙を導いてバイアスを印加することで、感光体ドラム１０１上のトナー像を転写紙等の転写材上に静電転写させる。
【００１１】
そして、転写バイアスローラ１０２からのチャージにより、レジストローラ１１４から送られてきた転写紙にトナー像を転写し、感光体ドラム１０１上から転写紙を分離して定着器１０３へ搬送し、トナー像を転写紙に定着させる。トナー像を転写紙に転写した後に感光体ドラム１０１上に残留した付着トナーは、クリーニングブレード１１５で掻き落とし、次工程に備える。
【００１２】
その後、感光体ドラム１０１を中心とした画像形成部の下流側に位置する定着器１０３においてトナー像が定着されて送り出された転写紙は、排紙搬送経路１０４を通り、胴内排紙部１１６に排出され、排紙トレイ１１７上にストックされる。
【００１３】
図２に示すように、画像形成装置の本体構造は、感光体ドラム１０１、帯電ローラ１１１、現像ローラ１１３及びクリーニングブレード１１５を有するＰＣＵ１１０を、寿命または故障時に交換できるように、前ドア１２０が図中矢印Ｂ方向に回動して開くようになっている。
【００１４】
図３は、画像形成装置本体の前側板１２２と、それに取り付けたインタロックスイッチ装置４を示す斜視図である。インタロックスイッチ装置４は、スイッチ１とアクチュエータ２をブラケット３に取り付けて構成してあるが、前側板１２２にはＰＣＵ１１０の着脱のための開口１２８が設けてあり、インタロックスイッチ装置４は右ドア１０６から離れた場所に取り付けている。
【００１５】
そのため、インタロックスイッチ装置４のアクチュエータ２を押すレバー装置５を設け、定着器１０３を保持する前ブラケット１２４に設けたガイドレール１２９上に載せて図中の矢印Ｃ方向に可動にしてある。またレバー装置５とブラケット３のガイド板３ａの間には、各ドア（右ドア１０６及び前ドア１２０）が開かれた時にレバー装置５を戻すスプリング９が設けてある。
【００１６】
図４はレバー装置５の構成とインタロックスイッチ装置４の位置関係とを示す斜視図である。レバー装置５は、レバー左６ａとレバー右６ｂに分割構成してあり、それらの間に一対のリンク左７ａ、リンク右７ｂを配し、レバー左６ａとリンク左７ａの基端、レバー右６ｂとリンク右７ｂの基端、リンク左７ａとリンク右７ｂの先端同士を、それぞれピン８で回動可能に軸支連結している。
【００１７】
図５〜図７により、右ドア１０６の押圧部材１０７と前ドア１２０の押圧部材１２１によってレバー装置５が可動し、インタロックスイッチ装置４が作動する状態を説明する。
図５は、前ドア１２０及び右ドア１０６がともに閉まった状態であり、前ドア１２０を閉めると、押圧部材１２１がリンク７ａ、７ｂの連結した先端部分を図中上方へ押し、リンク７ａ、７ｂの先端側が上方へ回転しようとし、レバー左６ａとレバー右６ｂが離れる方向に押される。また、右ドア１０６を閉めると、押圧部材１０７がレバー右６ｂを図中の矢印Ｄ方向に押し、これによってレバー装置５全体がインタロックスイッチ装置４側へ押される。このためレバー左６ａがアクチュエータ２を押して作動させ、スイッチ１をＯＮさせている。
【００１８】
図６は、前ドア１２０が開いて、右ドア１０６が閉まっている状態である。レバー右６ｂは右ドアの押圧部材１０７によって押圧されているので動かないが、左右のリンク７ａ、７ｂが押圧されていないので、スプリング９の付勢力によってレバー左６ａが図中矢印Ｅ方向に押し戻され、レバー右６ｂにくっつくまで移動することによって、アクチュエータ２を押圧するものがなくなり、スイッチ１内の付勢力によってアクチュエータ２が戻され、スイッチ１がＯＦＦされる。
【００１９】
図７は、前ドア１２０が閉まっており、右ドア１０６が開いている状態である。左右のリンク７ａ、７ｂは、前ドア１２０の押圧部材１２１によって押圧されて、リンク７ａ、７ｂの先端側が上方へ回転しようとし、レバー左６ａとレバー右６ｂが離れる方向に押される。ところが、レバー右６ｂが押圧されていないので、レバー左６ａとレバー右６ｂが離れた状態のまま、レバー装置５全体がスプリング９によって図中の矢印Ｆ方向に移動する。そのため、アクチュエータ２を押圧するものがなくなり、スイッチ１内の付勢力によってアクチュエータ２が戻され、スイッチ１がＯＦＦされる。
【００２０】
すなわち図示のように、右ドア１０６の押圧部材１０７の移動（図中の矢印Ｇ方向）はもとより、前ドア１２０の押圧部材１２１の移動（図中の矢印Ｈ方向）もレバー装置５の移動（図中の矢印Ｉ方向）に直接的に変換されるので、アクチュエータ２の動作精度、ひいてはスイッチ１の動作精度が向上している。
【００２１】
【発明の効果】
本発明に係る画像形成装置は、以上説明してきたようなものなので、第１、第２のドアの開閉に順番を発生させることなく、スイッチの動作精度を落とさずにインタロックスイッチ機能を実現できるようになるという効果がある。
【図面の簡単な説明】
【図１】胴内排紙部を備えた本発明の一実施形態に係る画像形成装置の断面図である。
【図２】図１中の２−２線方向から見た断面図である。
【図３】図１の画像形成装置本体の前側板と、それに取り付けたインタロックスイッチ装置を示す斜視図である。
【図４】レバー装置の構成とインタロックスイッチ装置の位置関係とを示す斜視図である。
【図５】前ドア及び右ドアがともに閉まった状態を示す斜視図である。
【図６】前ドアが開いて、右ドアが閉まっている状態を示す斜視図である。
【図７】前ドアが閉まっており、右ドアが開いている状態を示す斜視図である。
【符号の説明】
１  スイッチ
２  アクチュエータ
３  ブラケット
３ａ  ガイド板
４  インタロックスイッチ装置
５  レバー装置
６ａ  レバー左
６ｂ  レバー右
７ａ  リンク左
７ｂ  リンク右
８  ピン
９  スプリング
１０１  感光体ドラム
１０２  転写バイアスローラ
１０３  定着器
１０４  排紙搬送経路
１０６  右ドア
１０７  押圧部材
１１０  プロセスカートリッジユニット（ＰＣＵ）
１１１  帯電ローラ
１１２  露光手段
１１３  現像ローラ
１１４  レジストローラ
１１５  クリーニングブレード
１１６  胴内排紙部
１１７  排紙トレイ
１２０  前ドア
１２１  押圧部材
１２２  前側板
１２３  後側板
１２４  前ブラケット
１２５  後ブラケット
１２６  本体ベース
１２７  用紙カセット
１２８  開口
１２９  ガイドレール
１３０  スキャナ
【図１】
0003635448.tif 000002
【図２】
0003635448.tif 000003
【図３】
0003635448.tif 000004
【図４】
0003635448.tif 000005
【図５】
0003635448.tif 000006
【図６】
0003635448.tif 000007
【図７】
0003635448.tif 000008